【手続補正書】
【提出日】平成17年5月9日(2005.5.9)
【手続補正１】
【補正対象書類名】明細書
【補正対象項目名】特許請求の範囲
【補正方法】変更
【補正の内容】
【特許請求の範囲】
【請求項１】
複数チャネルの音響信号を符号化する音響信号符号化方法において、
上記複数チャネルの音響信号からそれぞれ任意の数の正弦波を抽出する正弦波抽出工程と、
第１のチャネルから抽出された正弦波に基づく正弦波情報からなる第１チャネル情報と
、第２のチャネルから抽出された正弦波に基づく正弦波情報からなる第２チャネル情報又は既定の正弦波に基づく正弦波情報とを用いて、上記第１チャネル情報の各正弦波情報に対して、相関を利用して符号化するための相関対象として、上記第２チャネル情報の正弦波情報の１つ、又は上記既定の正弦波に基づく正弦波情報を対応付けて設定する相関対象設定工程と、
上記第２チャネル情報の正弦波情報を符号化すると共に、上記第１チャネル情報の正弦波情報を、上記相関対象として設定した正弦波情報との相関を利用して符号化する正弦波情報符号化工程と
を有することを特徴とする音響信号符号化方法。
【請求項２】
上記相関対象設定工程では、上記第１チャネル情報の正弦波情報に含まれる周波数情報と上記第２チャネル情報の正弦波情報に含まれる周波数情報との周波数軸上の距離に基づいて、上記相関対象となる正弦波情報が設定されることを特徴とする請求項１記載の音響信号符号化方法。
【請求項３】
上記相関対象設定工程では、上記相関対象として、上記第１チャネル情報の正弦波情報に含まれる周波数情報との周波数軸上の距離が閾値以下である周波数情報を有する第２チャネル情報の正弦波情報が設定されることを特徴とする請求項２記載の音響信号符号化方法。
【請求項４】
複数チャネルの音響信号を符号化する音響信号符号化装置において、
上記複数チャネルの音響信号からそれぞれ任意の数の正弦波を抽出する正弦波抽出手段と、
第１のチャネルから抽出された正弦波に基づく正弦波情報からなる第１チャネル情報と
、第２のチャネルから抽出された正弦波に基づく正弦波情報からなる第２チャネル情報又は既定の正弦波に基づく正弦波情報とを用いて、上記第１チャネル情報の各正弦波情報に対して、相関を利用して符号化するための相関対象として、上記第２チャネル情報の正弦波情報の１つ、又は上記既定の正弦波に基づく正弦波情報を対応付けて設定する相関対象設定手段と、
上記第２チャネル情報の正弦波情報を符号化すると共に、上記第１チャネル情報の正弦波情報を、上記相関対象として設定した正弦波情報との相関を利用して符号化する正弦波情報符号化手段と
を備えることを特徴とする音響信号符号化装置。
【請求項５】
複数チャネルの音響信号を符号化する音響信号符号化処理をコンピュータに実行させるプログラムにおいて、
上記複数チャネルの音響信号からそれぞれ任意の数の正弦波を抽出する正弦波抽出工程と、
第１のチャネルから抽出された正弦波に基づく正弦波情報からなる第１チャネル情報と
、第２のチャネルから抽出された正弦波に基づく正弦波情報からなる第２チャネル情報又は既定の正弦波に基づく正弦波情報とを用いて、上記第１チャネル情報の各正弦波情報に対して、相関を利用して符号化するための相関対象として、上記第２チャネル情報の正弦波情報の１つ、又は上記既定の正弦波に基づく正弦波情報を対応付けて設定する相関対象設定工程と、
上記第２チャネル情報の正弦波情報を符号化すると共に、上記第１チャネル情報の正弦波情報を、上記相関対象として設定した正弦波情報との相関を利用して符号化する正弦波情報符号化工程と
を有することを特徴とするプログラム。
【請求項６】
複数チャネルの音響信号を符号化する音響信号符号化方法によって生成された符号列が記録された記録媒体において、
上記複数チャネルの音響信号からそれぞれ任意の数の正弦波を抽出し、第１のチャネルから抽出された正弦波に基づく正弦波情報からなる第１チャネル情報と、第２のチャネルから抽出された正弦波に基づく正弦波情報からなる第２チャネル情報又は既定の正弦波に基づく正弦波情報とを用いて、上記第１チャネル情報の各正弦波情報に対して、相関を利用して符号化するための相関対象として、上記第２チャネル情報の正弦波情報の１つ、又は上記既定の正弦波に基づく正弦波情報を対応付けて設定し、上記第２チャネル情報の正弦波情報を符号化すると共に、上記第１チャネル情報の正弦波情報を、上記相関対象として設定した正弦波情報との相関を利用して符号化して得られた正弦波情報符号が記録されていることを特徴とする記録媒体。
【請求項７】
複数チャネルの音響信号からそれぞれ任意の数の正弦波を抽出し、第１のチャネルから抽出された正弦波に基づく正弦波情報からなる第１チャネル情報と、第２のチャネルから抽出された正弦波に基づく正弦波情報からなる第２チャネル情報とを符号化して得られた正弦波情報符号を復号して上記複数チャネルの音響信号を復元する音響信号復号方法であって、
符号化された上記第２チャネル情報の正弦波情報を復号し、上記第２チャネル情報の正弦波情報の１つ又は規定の正弦波に基づく正弦波情報を、符号化された上記第１チャネル情報の各正弦波情報の相関対象として設定し、上記相関対象として設定された正弦波情報との相関を利用して上記第１チャネル情報の各正弦波情報を復号する正弦波情報復号工程と、
上記第１チャネル情報の正弦波情報と上記第２チャネル情報の正弦波情報とに基づいて上記複数チャネルの音響信号を復元する音響信号復元工程と
を有することを特徴とする音響信号復号方法。
【請求項８】
上記正弦波情報復号工程では、上記第１チャネル情報の正弦波情報に含まれる周波数情報と上記第２チャネル情報の正弦波情報に含まれる周波数情報との周波数軸上の距離に基づいて設定された上記相関対象の正弦波情報を用いて、符号化された上記第１チャネル情報の正弦波情報が復号されることを特徴とする請求項７記載の音響信号復号方法。
【請求項９】
上記正弦波情報復号工程では、上記第１チャネル情報の正弦波情報に含まれる周波数情報と上記第２チャネル情報の正弦波情報に含まれる周波数情報との周波数軸上の距離が閾値以下である上記第２チャネル情報の正弦波情報を用いて、符号化された上記第１チャネル情報の正弦波情報が復号されることを特徴とする請求項８記載の音響信号復号方法。
【請求項１０】
上記第１チャネル情報の正弦波情報に含まれる周波数情報との周波数軸上の距離が上記閾値以下である周波数情報を有する上記第２チャネル情報の正弦波情報が存在しない場合、上記正弦波情報復号工程では、上記第２チャネル情報に含まれる任意の正弦波情報を用いて、符号化された上記第１チャネル情報の正弦波情報が復号されることを特徴とする請求項９記載の音響信号復号方法。
【請求項１１】
上記第１チャネル情報の正弦波情報に含まれる周波数情報との周波数軸上の距離が上記閾値以下である周波数情報を有する上記第２チャネル情報の正弦波情報が存在しない場合、上記正弦波情報復号工程では、上記既定の正弦波に基づく正弦波情報を用いて、符号化された上記第１チャネル情報の正弦波情報が復号されることを特徴とする請求項９記載の音響信号復号方法。
【請求項１２】
符号化された上記第１チャネル情報の正弦波情報は、上記第１チャネル情報の正弦波情報に含まれる振幅情報から上記相関対象として設定された正弦波情報に含まれる振幅情報を減算した差分値が可変長符号化されたものであり、
上記正弦波情報復号工程では、復号した上記差分値と上記相関対象の正弦波情報に含まれる振幅情報とを加算することにより、符号化された上記第１チャネル情報の正弦波情報に含まれる振幅情報が復号されることを特徴とする請求項７記載の音響信号復号方法。
【請求項１３】
符号化された上記第１チャネル情報の正弦波情報は、上記第１チャネル情報の正弦波情報に含まれる位相情報から上記相関対象として設定された正弦波情報に含まれる位相情報を減算した差分値が可変長符号化されたものであり、
上記正弦波情報復号工程では、復号した上記差分値と上記相関対象の正弦波情報に含まれる位相情報とを加算することにより、符号化された上記第１チャネル情報の正弦波情報に含まれる位相情報が復号されることを特徴とする請求項７記載の音響信号復号方法。
【請求項１４】
上記第１チャネル情報の正弦波情報に含まれる周波数情報以外の情報が符号化されていない場合、上記正弦波情報復号工程では、上記第１チャネル情報の正弦波情報に含まれる周波数情報以外の情報として、上記相関対象として設定された正弦波情報に含まれる周波数情報以外の情報を用いることを特徴とする請求項７記載の音響信号復号方法。
【請求項１５】
上記第１チャネル情報の正弦波情報に含まれる振幅情報が符号化されていない場合、上記正弦波情報復号工程では、上記第１チャネル情報の正弦波情報に含まれる振幅情報として、上記相関対象として設定された正弦波情報に含まれる振幅情報を用いることを特徴とする請求項７記載の音響信号復号方法。
【請求項１６】
上記第１チャネル情報の正弦波情報に含まれる位相情報が符号化されていない場合、上記正弦波情報復号工程では、上記第１チャネル情報の正弦波情報に含まれる位相情報として、上記相関対象として設定された正弦波情報に含まれる位相情報を用いることを特徴とする請求項７記載の音響信号復号方法。
【請求項１７】
複数チャネルの音響信号からそれぞれ任意の数の正弦波を抽出し、第１のチャネルから抽出された正弦波に基づく正弦波情報からなる第１チャネル情報と、第２のチャネルから抽出された正弦波に基づく正弦波情報からなる第２チャネル情報とを符号化して得られた正弦波情報符号を復号して上記複数チャネルの音響信号を復元する音響信号復号装置であって、
符号化された上記第２チャネル情報の正弦波情報を復号し、上記第２チャネル情報の正弦波情報の１つ又は規定の正弦波に基づく正弦波情報を、符号化された上記第１チャネル情報の各正弦波情報の相関対象として設定し、上記相関対象として設定された正弦波情報との相関を利用して上記第１チャネル情報の各正弦波情報を復号する正弦波情報復号手段と、
上記第１チャネル情報の正弦波情報と上記第２チャネル情報の正弦波情報とに基づいて上記複数チャネルの音響信号を復元する音響信号復元手段と
を有することを特徴とする音響信号復号装置。
【請求項１８】
複数チャネルの音響信号からそれぞれ任意の数の正弦波を抽出し、第１のチャネルから抽出された正弦波に基づく正弦波情報からなる第１チャネル情報と、第２のチャネルから抽出された正弦波に基づく正弦波情報からなる第２チャネル情報とを符号化して得られた正弦波情報符号を復号して上記複数チャネルの音響信号を復元する音響信号復号処理をコンピュータに実行させるプログラムであって、
符号化された上記第２チャネル情報の正弦波情報を復号し、上記第２チャネル情報の正弦波情報の１つ又は規定の正弦波に基づく正弦波情報を、符号化された上記第１チャネル情報の各正弦波情報の相関対象として設定し、上記相関対象として設定された正弦波情報との相関を利用して上記第１チャネル情報の各正弦波情報を復号する正弦波情報復号工程と、
上記第１チャネル情報の正弦波情報と上記第２チャネル情報の正弦波情報とに基づいて上記複数チャネルの音響信号を復元する音響信号復元工程と
を有することを特徴とするプログラム。
【請求項１９】
複数チャネルの音響信号を符号化する音響信号符号化方法において、
上記複数チャネルの音響信号の振幅に応じてそれぞれ任意の数のゲイン制御情報を生成し、ゲイン制御を行うゲイン制御工程と、
第１のチャネルにおいて生成されたゲイン制御情報と、第２のチャネルにおいて生成されたゲイン制御情報又は既定のゲイン制御情報とを用いて、上記第１のチャネルの各ゲイン制御情報に対して、相関を利用して符号化するための相関対象として、上記第２のチャネルのゲイン制御情報の１つ、又は上記既定のゲイン制御情報を対応付けて設定する相関対象設定工程と、
上記第２のチャネルのゲイン制御情報を符号化すると共に、上記第１のチャネルのゲイン制御情報を、上記相関対象として設定したゲイン制御情報との相関を利用して符号化するゲイン制御情報符号化工程と
を有することを特徴とする音響信号符号化方法。
【請求項２０】
複数チャネルの音響信号の振幅に応じてそれぞれ任意の数のゲイン制御情報を生成してゲイン制御を行い、第１のチャネルにおいて生成されたゲイン制御情報と、第２のチャネルにおいて生成されたゲイン制御情報とを符号化して得られたゲイン制御情報符号を復号して上記複数チャネルの音響信号を復元する音響信号復号方法であって、
符号化された上記第２のチャネルのゲイン制御情報を復号し、上記第２のチャネルのゲイン制御情報の１つ又は規定のゲイン制御情報を、上記符号化された上記第１のチャネルの各ゲイン制御情報の相関対象として設定し、上記相関対象として設定されたゲイン制御情報との相関を利用して上記第１のチャネルのゲイン制御情報を復号するゲイン制御情報復号工程と、
上記第１のチャネルのゲイン制御情報と上記第２のチャネルのゲイン制御情報とに基づいてゲイン制御補正を行い、上記複数チャネルの音響信号を復元する音響信号復元工程と
を有することを特徴とする音響信号復号方法。
【手続補正２】
【補正対象書類名】明細書
【補正対象項目名】０００１
【補正方法】変更
【補正の内容】
【０００１】
【発明の属する技術分野】
本発明は、音響信号符号化方法及び装置、音響信号復号方法及び装置、並びにプログラム及び記録媒体に関し、特に、複数チャネルの音響信号を高能率符号化して伝送し、又は記録媒体に記録する音響信号符号化方法及びその装置、生成された符号列が記録された記録媒体、その符号列を受信し、又は再生して復号する音響信号復号方法及びその装置、並びに音響信号符号化処理又は音響信号復号処理をコンピュータに実行させるプログラムに関する。
【手続補正３】
【補正対象書類名】明細書
【補正対象項目名】００２９
【補正方法】変更
【補正の内容】
【００２９】
本発明は、このような従来の実情に鑑みて提案されたものであり、音響信号のチャネル間相関を利用する可変長符号化手法において、符号化効率をより向上させることのできる音響信号符号化方法及びその装置、生成された符号列が記録された記録媒体、その符号列を受信し、又は再生して復号する音響信号復号方法及びその装置、並びに音響信号符号化処理又は音響信号復号処理をコンピュータに実行させるプログラムを提供することを目的とする。
【手続補正４】
【補正対象書類名】明細書
【補正対象項目名】００３２
【補正方法】変更
【補正の内容】
【００３２】
また、上述した目的を達成するために、本発明に係る音響信号復号方法及び装置は、複数チャネルの音響信号からそれぞれ任意の数の正弦波を抽出し、第１のチャネルから抽出された正弦波に基づく正弦波情報からなる第１チャネル情報と、第２のチャネルから抽出された正弦波に基づく正弦波情報からなる第２チャネル情報とを符号化して得られた正弦波情報符号を復号して上記複数チャネルの音響信号を復元する際に、符号化された上記第２チャネル情報の正弦波情報を復号し、上記第２チャネル情報の正弦波情報の１つ又は規定の正弦波に基づく正弦波情報を、符号化された上記第１チャネル情報の各正弦波情報の相関対象として設定し、上記相関対象として設定された正弦波情報との相関を利用して上記第１チャネル情報の各正弦波情報を復号し、上記第１チャネル情報の正弦波情報と上記第２チャネル情報の正弦波情報とに基づいて上記複数チャネルの音響信号を復元する。
【手続補正５】
【補正対象書類名】明細書
【補正対象項目名】００３３
【補正方法】変更
【補正の内容】
【００３３】
このような音響信号復号方法及び装置は、符号化された第１チャネル情報の各正弦波情報を復号する際に、先ず符号化された第２チャネル情報の正弦波情報を復号し、上記第２チャネル情報の正弦波情報の１つ又は規定の正弦波に基づく正弦波情報を、符号化された上記第１チャネル情報の各正弦波情報の相関対象として設定し、その後、符号化された第１チャネル情報の各正弦波情報を、相関対象として設定された正弦波情報との相関を利用して復号する。
【手続補正６】
【補正対象書類名】明細書
【補正対象項目名】００３４
【補正方法】変更
【補正の内容】
【００３４】
また、上述した目的を達成するために、本発明に係る音響信号符号化方法は、複数チャネルの音響信号を符号化する際に、上記複数チャネルの音響信号の振幅に応じてそれぞれ任意の数のゲイン制御情報を生成してゲイン制御を行い、第１のチャネルにおいて生成されたゲイン制御情報と、第２のチャネルにおいて生成されたゲイン制御情報又は既定のゲイン制御情報とを用いて、上記第１のチャネルの各ゲイン制御情報に対して、相関を利用して符号化するための相関対象として、上記第２のチャネルのゲイン制御情報の１つ、又は上記既定のゲイン制御情報を対応付けて設定し、上記第２のチャネルのゲイン制御情報を符号化すると共に、上記第１のチャネルのゲイン制御情報を、上記相関対象として設定したゲイン制御情報との相関を用いて符号化する。
【手続補正７】
【補正対象書類名】明細書
【補正対象項目名】００３５
【補正方法】変更
【補正の内容】
【００３５】
このような音響信号符号化方法は、第１のチャネルのゲイン制御情報を符号化する際に、相関対象として第２のチャネルのゲイン制御情報の１つ、又は既定のゲイン制御情報を対応付けて設定し、この相関対象となるゲイン制御情報との相関を利用して符号化する。
【手続補正８】
【補正対象書類名】明細書
【補正対象項目名】００３６
【補正方法】変更
【補正の内容】
【００３６】
また、上述した目的を達成するために、本発明に係る音響信号復号方法は、複数チャネルの音響信号の振幅に応じてそれぞれ任意の数のゲイン制御情報を生成してゲイン制御を行い、第１のチャネルにおいて生成されたゲイン制御情報と、第２のチャネルにおいて生成されたゲイン制御情報とを符号化して得られたゲイン制御情報符号を復号して上記複数チャネルの音響信号を復元する際に、符号化された上記第２のチャネルのゲイン制御情報を復号し、上記第２のチャネルのゲイン制御情報の１つ又は規定のゲイン制御情報を、上記符号化された上記第１のチャネルの各ゲイン制御情報の相関対象として設定し、上記相関対象として設定されたゲイン制御情報との相関を用いて上記第１のチャネルのゲイン制御情報を復号し、上記第１のチャネルのゲイン制御情報と上記第２のチャネルのゲイン制御情報とに基づいてゲイン制御補正を行い、上記複数チャネルの音響信号を復元する。
【手続補正９】
【補正対象書類名】明細書
【補正対象項目名】００３７
【補正方法】変更
【補正の内容】
【００３７】
このような音響信号復号方法は、符号化された第１のチャネルのゲイン制御情報を復号する際に、先ず符号化された第２のチャネルのゲイン制御情報を復号し、上記第２のチャネルのゲイン制御情報の１つ又は規定のゲイン制御情報を、上記符号化された上記第１のチャネルの各ゲイン制御情報の相関対象として設定し、その後、符号化された第１のチャネルの各ゲイン制御情報を、相関対象として設定されたゲイン制御情報との相関を利用して復号する。
【手続補正１０】
【補正対象書類名】明細書
【補正対象項目名】００３８
【補正方法】変更
【補正の内容】
【００３８】
また、本発明に係るプログラムは、上述した音響信号符号化処理又は音響信号復号処理をコンピュータに実行させるものである。
【手続補正１１】
【補正対象書類名】明細書
【補正対象項目名】０１３０
【補正方法】変更
【補正の内容】
【０１３０】
【発明の効果】
以上詳細に説明したように本発明に係る音響信号符号化方法及び装置は、複数チャネルの音響信号を符号化する際に、上記複数チャネルの音響信号からそれぞれ任意の数の正弦波を抽出し、第１のチャネルから抽出された正弦波に基づく正弦波情報からなる第１チャネル情報と、第２のチャネルから抽出された正弦波に基づく正弦波情報からなる第２チャネル情報又は既定の正弦波に基づく正弦波情報とを用いて、上記第１チャネル情報の各正弦波情報に対して、相関を利用して符号化するための相関対象として、上記第２チャネル情報の正弦波情報の１つ、又は上記既定の正弦波に基づく正弦波情報を対応付けて設定し、上記第２チャネル情報の正弦波情報を符号化すると共に、上記第１チャネル情報の正弦波情報を、上記相関対象として設定した正弦波情報との相関を用いて符号化する。
【手続補正１２】
【補正対象書類名】明細書
【補正対象項目名】０１３２
【補正方法】変更
【補正の内容】
【０１３２】
また、本発明に係る音響信号復号方法及び装置は、複数チャネルの音響信号からそれぞれ任意の数の正弦波を抽出し、第１のチャネルから抽出された正弦波に基づく正弦波情報からなる第１チャネル情報と、第２のチャネルから抽出された正弦波に基づく正弦波情報からなる第２チャネル情報とを符号化して得られた正弦波情報符号を復号して上記複数チャネルの音響信号を復元する際に、符号化された上記第２チャネル情報の正弦波情報を復号し、上記第２チャネル情報の正弦波情報の１つ又は規定の正弦波に基づく正弦波情報を
、符号化された上記第１チャネル情報の各正弦波情報の相関対象として設定し、上記相関対象として設定された正弦波情報との相関を利用して上記第１チャネル情報の各正弦波情報を復号し、上記第１チャネル情報の正弦波情報と上記第２チャネル情報の正弦波情報とに基づいて上記複数チャネルの音響信号を復元する。
【手続補正１３】
【補正対象書類名】明細書
【補正対象項目名】０１３３
【補正方法】変更
【補正の内容】
【０１３３】
このような音響信号復号方法及び装置によれば、符号化された第１チャネル情報の各正弦波情報を復号する際に、先ず符号化された第２チャネル情報の正弦波情報を復号し、上記第２チャネル情報の正弦波情報の１つ又は規定の正弦波に基づく正弦波情報を、符号化された上記第１チャネル情報の各正弦波情報の相関対象として設定し、その後、符号化された第１チャネル情報の各正弦波情報を、相関対象として設定された第２チャネル情報の正弦波情報との相関を利用して復号することにより、符号化側で設定された相関対象を示す情報なしに、第１のチャネルの正弦波情報を復号することができる。
【手続補正１４】
【補正対象書類名】明細書
【補正対象項目名】０１３４
【補正方法】変更
【補正の内容】
【０１３４】
また、本発明に係る音響信号符号化方法は、複数チャネルの音響信号を符号化する際に、上記複数チャネルの音響信号の振幅に応じてそれぞれ任意の数のゲイン制御情報を生成してゲイン制御を行い、第１のチャネルにおいて生成されたゲイン制御情報と、第２のチャネルにおいて生成されたゲイン制御情報又は既定のゲイン制御情報とを用いて、上記第１のチャネルの各ゲイン制御情報に対して、相関を利用して符号化するための相関対象として、上記第２のチャネルのゲイン制御情報の１つ、又は上記既定のゲイン制御情報を対応付けて設定し、上記第２のチャネルのゲイン制御情報を符号化すると共に、上記第１のチャネルのゲイン制御情報を、上記相関対象として設定したゲイン制御情報との相関を用いて符号化する。
【手続補正１５】
【補正対象書類名】明細書
【補正対象項目名】０１３５
【補正方法】変更
【補正の内容】
【０１３５】
このような音響信号符号化方法によれば、第１のチャネルのゲイン制御情報を符号化する際に、相関対象として第２のチャネルのゲイン制御情報の１つ、又は既定のゲイン制御情報を対応付けて設定し、この相関対象として設定されたゲイン制御情報との相関を用いて符号化することにより、ゲイン制御情報の符号化効率を高めることができる。
【手続補正１６】
【補正対象書類名】明細書
【補正対象項目名】０１３６
【補正方法】変更
【補正の内容】
【０１３６】
また、本発明に係る音響信号復号方法は、複数チャネルの音響信号の振幅に応じてそれぞれ任意の数のゲイン制御情報を生成してゲイン制御を行い、第１のチャネルにおいて生成されたゲイン制御情報と、第２のチャネルにおいて生成されたゲイン制御情報とを符号化して得られたゲイン制御情報符号を復号して上記複数チャネルの音響信号を復元する際に、符号化された上記第２のチャネルのゲイン制御情報を復号し、上記第２のチャネルのゲイン制御情報の１つ又は規定のゲイン制御情報を、上記符号化された上記第１のチャネルの各ゲイン制御情報の相関対象として設定し、上記相関対象として設定されたゲイン制御情報との相関を用いて上記第１のチャネルのゲイン制御情報を復号し、上記第１のチャネルのゲイン制御情報と上記第２のチャネルのゲイン制御情報とに基づいてゲイン制御補正を行い、上記複数チャネルの音響信号を復元する。
【手続補正１７】
【補正対象書類名】明細書
【補正対象項目名】０１３７
【補正方法】変更
【補正の内容】
【０１３７】
このような音響信号復号方法によれば、符号化された第１のチャネルのゲイン制御情報を復号する際に、先ず符号化された第２のチャネルのゲイン制御情報を復号し、上記第２のチャネルのゲイン制御情報の１つ又は規定のゲイン制御情報を、上記符号化された上記第１のチャネルの各ゲイン制御情報の相関対象として設定し、その後、符号化された第１のチャネルの各ゲイン制御情報を、相関対象として設定されたゲイン制御情報との相関を用いて復号することにより、符号化側で設定された相関対象を示す情報なしに、第１のチャネルのゲイン制御情報を復号することができる。
【手続補正１８】
【補正対象書類名】明細書
【補正対象項目名】０１３８
【補正方法】変更
【補正の内容】
【０１３８】
また、本発明に係るプログラムは、上述した音響信号符号化処理又は音響信号復号処理をコンピュータに実行させるものである。
【手続補正１９】
【補正対象書類名】明細書
【補正対象項目名】０１３９
【補正方法】変更
【補正の内容】
【０１３９】
このようなプログラムによれば、上述した音響信号符号化処理又は音響信号復号処理をソフトウェアにより実現することができる。